(57)【要約】【解決手段】ネスティング或いはスタッキングが可能な連結具装着可能運搬用容器Ｂにおいて、連結具Ｃ１を構成する挟持部材Ｃ１”の挟持弾性片ｃ２ａが挿入されるポケットＰの奥壁ｐ１に、前記挟持弾性片ｃ２ａに突設された係止突部ｃ２ｂが嵌合可能な係止透孔Ｈを穿設したものである。【効果】ネスティング或いはスタッキングが可能な連結具装着可能運搬用容器において、連結具を構成する挟持部材の挟持弾性片が挿入されるポケットの奥壁に、前記挟持弾性片に突設された係止突部が嵌合可能な係止透孔を穿設したので、台車やパレット等の上下動により、縦方向に振動しても、連結具が、連結具装着可能運搬用容器から外れるようなことを防止することができる。【選択図】図７
2011207517.tif 000002
【特許請求の範囲】
【請求項１】
ネスティング或いはスタッキングが可能な連結具装着可能運搬用容器において、連結具を構成する挟持部材の挟持弾性片が挿入されるポケットの奥壁に、前記挟持弾性片に突設された係止突部が嵌合可能な係止透孔が穿設されていることを特徴とする連結具装着可能運搬用容器。
【請求項２】
複数の前記挟持部材が、前記連結具を構成する基部ブロック部材により連結されていることを特徴とする請求項１に記載の連結具装着可能運搬用容器。
【発明の詳細な説明】
【技術分野】
【０００１】
本発明は、並置された運搬用容器を連結するための連結具が装着可能な連結具装着可能運搬用容器に関するものである。
【背景技術】
【０００２】
従来、フランジに孔が穿設された一対の運搬用容器を、フランジに穿設された孔が、互いに接近するように並置し、その後、逆Ｕ字状の連結具の一方の脚部を、一方の運搬用容器のフランジに穿設された孔に挿入し、連結具のもう一方の脚部を、もう一方の運搬用容器のフランジに穿設された孔に挿入することにより、並置された運搬用容器を連結するようにした連結具装着可能運搬用容器が、一例として、特許文献１に開示されている。
【先行技術文献】
【特許文献】
【０００３】
【特許文献１】実開平６−１０１３３号公報
【発明の開示】
【発明が解決しようとする課題】
【０００４】
上述した従来の連結具装着可能運搬用容器においては、連結具の脚部が、単に、フランジに穿設された孔に挿入されているだけであるので、連結具の脚部が、フランジに穿設された孔から抜け出易く、簡単に、運搬用容器の連結が解除されるという問題があった。
【０００５】
また、台車やパレット等に積載されている運搬用容器が、台車やパレット等の上下動により、上下動した場合に、一方の運搬用容器が、もう一方の運搬用容器に対して、縦方向に振動し、連結具が、一方の運搬用容器から外れるという問題があった。
【０００６】
更に、連結具が、平坦なフランジに装着されているので、連結具の水平部が、フランジの上面を越えて、上方に突出することになり、従って、運搬用容器を段積みした際には、下に位置する運搬用容器と上に位置する運搬用容器との接触部が、面積の小さな連結具の水平部だけとなり、従って、安定した状態で、連結された運搬用容器を段積みすることができず、また、段積みされた状態の運搬用容器の全体の高さが、使用された連結具の水平部の厚さ分、より高くなり、従って、段積みされた運搬用容器が、台車やパレット等による運搬中に、崩れ易いという問題があった。
【０００７】
本発明の目的は、上述した従来の連結具装着可能運搬用容器が有する課題を解決することにある。
【課題を解決するための手段】
【０００８】
本発明は、上述した目的を達成するために、ネスティング或いはスタッキングが可能な連結具装着可能運搬用容器において、第１には、連結具を構成する挟持部材の挟持弾性片が挿入されるポケットの奥壁に、前記挟持弾性片に突設された係止突部が嵌合可能な係止透孔を穿設したものであり、第２には、複数の挟持部材を、基部ブロック部材により連結したものである。
【発明の効果】
【０００９】
本発明は、以上説明したような構成を有するので、以下に記載する効果を奏するものである。
【００１０】
ネスティング或いはスタッキングが可能な連結具装着可能運搬用容器において、連結具を構成する挟持部材の挟持弾性片が挿入されるポケットの奥壁に、前記挟持弾性片に突設された係止突部が嵌合可能な係止透孔を穿設したので、台車やパレット等の上下動により、縦方向に振動しても、連結具が、連結具装着可能運搬用容器から外れるようなことを防止することができる。
【００１１】
複数の挟持部材を、基部ブロック部材により連結したので、連結具を下降させるだけで、並置された運搬用容器の側壁に形成された複数のポケットに、同時に、連結具の複数の挟持部材を挿入することができ、従って、並置された連結具装着可能運搬用容器の連結具による連結作業の作業性が向上する。
【図面の簡単な説明】
【００１２】
【図１】図１は、本発明の連結具装着可能運搬用容器の斜視図である。
【図２】図２は、本発明の連結具装着可能運搬用容器がスタッキングされた状態の斜視図である。
【図３】図３は、本発明の連結具装着可能運搬用容器がネスティングされた状態の斜視図である。
【図４】図４は、本発明の連結具装着可能運搬用容器の部分拡大斜視図である。
【図５】図５は、本発明の連結具装着可能運搬用容器に装着される連結具の斜視図である。
【図６】図６は、本発明の連結具装着可能運搬用容器への連結具の装着を説明するための斜視図である。
【図７】図７は、本発明の連結具装着可能運搬用容器が、連結具を介して連結された状態の斜視図である。
【図８】図８は、連結具を介して連結された本発明の連結具装着可能運搬用容器の垂直断面図である。
【図９】図９は、本発明の連結具装着可能運搬用容器に装着される別の実施例の連結具の斜視図である。
【図１０】図１０は、本発明の連結具装着可能運搬用容器への別の実施例の連結具の装着を説明するための斜視図である。
【図１１】図１１は、本発明の連結具装着可能運搬用容器が、別の実施例の連結具を介して連結された状態の斜視図である。
【実施例】
【００１３】
以下に、本発明の実施例について説明するが、本発明の趣旨を越えない限り何ら、本実施例に限定されるものではない。
【００１４】
図１において、Ｂは、本発明の連結具装着可能運搬用容器（以下、単に、運搬用容器ともいう。）であり、運搬用容器Ｂは、底部１と相対する長側壁２と相対する短側壁３とから構成されており、運搬用容器Ｂには、運搬用容器Ｂの開口部を取り囲むように、長側壁２及び短側壁３の上端から外側水平方向に延在するフランジ４が形成されている。
【００１５】
Ｐは、フランジ４から底部１に向かって、長側壁２及び／又は短側壁３を、外側に膨出することにより形成された縦長の凹部からなるポケットであり、運搬用容器Ｂの略半分の深さを有している。また、Ｓは、ポケットＰに隣接して、長側壁２及び／又は短側壁３の外壁に形成された支脚であり、支脚Ｓは、ポケットＰの底板ｐ３付近から、長側壁２及び／又は短側壁３の略下端まで延在しており、支脚Ｓは、ポケットＰに挿入可能なように構成されている。このような、ポケットＰと、該ポケットＰに隣接して形成された支脚Ｓとにより、ポケット・支脚部Ｗが形成されている。
【００１６】
相対する長側壁２の両端部には、それぞれ、ポケット・支脚部Ｗが形成されており、一方の長側壁２に形成されたポケット・支脚部Ｗは、支脚Ｓが、長側壁２の中央部側に位置するとともに、ポケットＰが、長側壁２の端部側に位置するように配置されている。また、もう一方の長側壁２に形成されたポケット・支脚部Ｗは、ポケットＰが、長側壁２の中央部側に位置するとともに、支脚Ｓが、長側壁２の端部側に位置するように配置されている。
【００１７】
また、相対する短側壁３の両端部にも、それぞれ、ポケット・支脚部Ｗが形成されており、一方の短側壁３に形成されたポケット・支脚部Ｗは、支脚Ｓが、短側壁３の中央部側に位置するとともに、ポケットＰが、短側壁３の端部側に位置するように配置されている。また、もう一方の短側壁３に形成されたポケット・支脚部Ｗは、ポケットＰが、短側壁３の中央部側に位置するとともに、支脚Ｓが、短側壁３の端部側に位置するように配置されている。
【００１８】
上述した構成を有する運搬用容器Ｂを、上に位置する運搬用容器Ｂａと下に位置する運搬用容器Ｂｂとを、上述したポケット・支脚部Ｗの配置が同じになるように積み重ねた際には、図２に示されているように、上に位置する運搬用容器Ｂａの支脚Ｓが、下に位置する運搬用容器Ｂｂのフランジ４に載置され、上に位置する運搬用容器Ｂａと下に位置する運搬用容器Ｂｂとが、所謂、スタッキング状態に積み重ねられることになる。なお、Ｒは、長側壁２や短側壁３の外面と支脚Ｓの下面とにより形成される隅部に形成されたガタ止めリブであり、運搬用容器Ｂをスタッキングした際には、上に位置する運搬用容器Ｂａのガタ止めリブＲや支脚Ｓの下面以下に位置する底部１の下端部が、下に位置する運搬用容器Ｂｂの開口部に挿入されるように構成されている。このようなガタ止めリブＲは、周知であるので、その詳細な説明は省略する。
【００１９】
また、スタッキング状態から、上に位置する運搬用容器Ｂａを、平面的に見て、１８０度回転させると、上に位置する運搬用容器Ｂａの支脚Ｓが、下に位置する運搬用容器ＢｂのポケットＰに挿入され、図３に示されているように、上に位置する運搬用容器Ｂａと下に位置する運搬用容器Ｂｂとが、所謂、ネスティング状態に積み重ねられることになる。
【００２０】
上述した運搬用容器Ｂに形成されるポケット・支脚部Ｗを構成するポケットＰや支脚Ｓの幅などは、必要に応じて適宜、変えることは、既に周知であり、また、長側壁２及び／又は短側壁３に形成されるポケット・支脚部Ｗの数を、幾つにするか等も、必要に応じて適宜、設定することができることは、既に周知であるので、スタッキング／ネスティング可能な運搬用容器Ｂに形成されるポケット・支脚部Ｗの説明は省略する。また、上に位置する運搬用容器Ｂａと下に位置する運搬用容器Ｂｂとを、上述したポケット・支脚部Ｗの配置が同じになるように積み重ねた際には、ネスティング状態に積み重ねられ、ネスティング状態から、上に位置する運搬用容器Ｂａを、平面的に見て、１８０度回転させた際には、スタッキング状態に積み重ねられるように構成された運搬用容器Ｂも、既に周知であるので、このような運搬用容器Ｂの説明も省略する。
【００２１】
図４に示されているように、ポケットＰは、周知のように、奥壁ｐ１と相対する側壁ｐ２と底板ｐ３とから形成されており、更に、本発明の運搬用容器Ｂにおいては、奥壁ｐ１に、係止透孔Ｈが穿設されている。
【００２２】
次に、図５を用いて、本発明の連結具Ｃ１について説明する。
【００２３】
連結具Ｃ１は、上部中央水平板ｃ１ａと、該上部中央水平板ｃ１ａの両先端から下方に傾斜した上部傾斜板ｃ１ｂと、該上部傾斜板ｃ１ｂの下端から、水平方向に延在する上部端部水平板ｃ１ｃと、上部中央水平板ｃ１ａの下方に位置するとともに上部中央水平板ｃ１ａに平行な下部中央水平板ｃ１ｄと、該下部中央水平板ｃ１ｄの両先端から下方に延在する下部垂直板ｃ１ｅと、該下部垂直板ｃ１ｅの下端から水平方向に延在する下部端部水平板ｃ１ｆとを有しており、上部端部水平板ｃ１ｃの端部と下部端部水平板ｃ１ｆの端部は、垂直端部板ｃ１ｇにより連結されており、また、上部中央水平板ｃ１ａと下部中央水平板ｃ１ｄ及び上部端部水平板ｃ１ｃと下部端部水平板ｃ１ｆとは、適当数の垂直連結リブｃ１ｈや垂直仕切り壁ｃ１ｉにより連結されている。このような、上部中央水平板ｃ１ａや上部傾斜板ｃ１ｂや上部端部水平板ｃ１ｃや下部中央水平板ｃ１ｄや下部垂直板ｃ１ｅや下部端部水平板ｃ１ｆ等により、連結具Ｃ１を構成する基部ブロック部材Ｃ１’が形成されている。
【００２４】
基部ブロックＣ１’を構成する下部端部水平板ｃ１ｆの先端部に位置する下面には、下部端部水平板ｃ１ｆの長手方向に沿って、一対の相対する挟持弾性片ｃ２ａが垂下されており、相対する挟持弾性片ｃ２ａの相対する内面ｃ２ａ’の適当な位置には、互いに対向するように、係止突部ｃ２ｂが突設されており、更に、挟持弾性片ｃ２ａの下端には、互いに離反する方向に、略水平に延在する案内板部ｃ２ｃが形成されており、挟持弾性片ｃ２ａと案内板部ｃ２ｃとにより形成される角部には、傾斜面やアール面等からなる、案内面ｃ２ｄが形成されている。このような、挟持弾性片ｃ２ａと係止突部ｃ２ｂと案内板部ｃ２ｃと案内面ｃ２ｄと下部端部水平板ｃ１ｆとにより、下方と挟持弾性片ｃ２ａに沿った両側部が開放された挟持空間部Ａ１を有する挟持部材Ｃ１”が形成されている。なお、相対する挟持弾性片ｃ２ａの相対する内面ｃ２ａ’間の間隔Ｄ１は、ポケットＰが形成されている部分のフランジ４の残余部分４ａの幅Ｄ２の２倍と略同じ幅になるように形成されている。
【００２５】
次に、図６〜図８を用いて、上述した連結具Ｃ１による並置された一対の運搬用容器Ｂの連結について説明する。
【００２６】
先ず最初に、図６に示されているように、左側に位置する運搬用容器Ｂｈと右側に位置する運搬用容器Ｂｍとを、左側に位置する運搬用容器Ｂｈと右側に位置する運搬用容器Ｂｍとに形成されたポケットＰが、互いに対向するように並置する。図６には、左側に位置する運搬用容器Ｂｈの長側壁２に形成されたポケットＰと右側に位置する運搬用容器Ｂｍの長側壁２に形成されたポケットＰとが、互いに対向するように並置された例が示されている。
【００２７】
図６に示されているように、左側に位置する運搬用容器Ｂｈの長側壁２の両端部に形成されたポケットＰと右側に位置する運搬用容器Ｂｍの長側壁２の両端部に形成されたポケットＰとが、互いに対向するように、左側に位置する運搬用容器Ｂｈと右側に位置する運搬用容器Ｂｍとを並置するとともに、上方に、基部ブロック部材Ｃ１’の両端部に挟持部材Ｃ１”が形成された連結具Ｃ１を配置し、その後、連結具Ｃ１を下降させる。連結具Ｃ１の下降により、一方の運搬用容器ＢｈのポケットＰが位置するフランジ４の残余部分４ａと、もう一方の運搬用容器ＢｍのポケットＰが位置するフランジ４の残余部分４ａとを、連結具Ｃ１を構成する挟持部材Ｃ１”の相対する挟持弾性片ｃ２ａにより形成される挟持空間部Ａ１内に挿入する。
【００２８】
上述した連結具Ｃ１の下降過程において、連結具Ｃ１の基部ブロック部材Ｃ１’を構成する下部端部水平板ｃ１ｆが、互いに並置された運搬用容器Ｂｈ、Ｂｍのフランジ４の残余部分４ａに接近することになる。更に、連結具Ｃ１を下降させ、連結具Ｃ１の基部ブロック部材Ｃ１’を構成する下部端部水平板ｃ１ｆが、運搬用容器Ｂｈ、Ｂｍのフランジ４の残余部分４ａに近接、或いは、当接した時点において、連結具Ｃ１の挟持部材Ｃ１”を構成する挟持弾性片ｃ２ａに突設された係止突部ｃ２ｂが、運搬用容器Ｂｈ、Ｂｍに形成されたポケットＰの奥壁ｐ１に穿設された係止透孔Ｈに嵌合されるように構成されている。このようにして、図７及び図８に示されているように、並設された運搬用容器Ｂｈ、Ｂｍが、連結具Ｃ１により連結されることになる。
【００２９】
上述したように、連結具Ｃ１の一対の挟持部材Ｃ１”が、基部ブロック部材Ｃ１’により連結されているので、連結具Ｃ１を下降させることにより、並置された運搬用容器Ｂｈ、Ｂｍの長側壁２に形成された一対のポケットＰに、略同時に、連結具Ｃ１の一対の挟持部材Ｃ１”を挿入することができ、従って、並置された運搬用容器Ｂｈ、Ｂｍの連結具Ｃ１による連結作業の作業性が向上する。
【００３０】
上述したように、並置された運搬用容器Ｂｈ、Ｂｍが、連結具Ｃ１の下降により、連結される過程において、対向するように配置された一方の運搬用容器ＢｈのポケットＰが位置するフランジ４の残余部分４ａと、もう一方の運搬用容器ＢｍのポケットＰが位置するフランジ４の残余部分４ａとが、連結具Ｃ１を構成する挟持部材Ｃ１”の相対する挟持弾性片ｃ２ａにより形成される挟持空間部Ａ１内に挿入されることになるが、対向するように配置された一方の運搬用容器ＢｈのポケットＰが位置するフランジ４の残余部分４ａともう一方の運搬用容器ＢｍのポケットＰが位置するフランジ４の残余部分４ａとが、挟持空間部Ａ１から、ずれることがある。
【００３１】
上述したように、対向するように並置された一方の運搬用容器ＢｈのポケットＰが位置するフランジ４の残余部分４ａともう一方の運搬用容器ＢｍのポケットＰが位置するフランジ４の残余部分４ａとが、連結具Ｃ１に形成された挟持空間部Ａ１から、ずれて位置した場合には、連結具Ｃ１を構成する挟持部材Ｃ１”の案内板部ｃ２ｃに当接することになるが、挟持弾性片ｃ２ａと案内板部ｃ２ｃとにより形成される角部には、案内面ｃ２ｄが形成されているので、連結具Ｃ１が、案内面ｃ２ｄに沿って、ポケットＰの奥壁ｐ１方向に移動し、並置された運搬用容器Ｂｈ、Ｂｍの対向するポケットＰに、確実に、連結具Ｃ１を構成する挟持部材Ｃ１”を挿入することができ、並置された運搬用容器Ｂｈ、Ｂｍへの連結具Ｃ１の取り付け作業の作業性が向上する。
【００３２】
また、上述したように、連結具Ｃ１の基部ブロック部材Ｃ１’の両端部に形成された挟持部材Ｃ１”を、ポケットＰが対向するように並置された運搬用容器Ｂｈ、ＢｍのポケットＰに挿入し、且つ、連結具Ｃ１の基部ブロック部材Ｃ１’の挟持部材Ｃ１”を構成する挟持弾性片ｃ２ａに突設された係止突部ｃ２ｂが、運搬用容器Ｂｈ、Ｂｍに形成されたポケットＰの奥壁ｐ１に穿設された係止透孔Ｈに嵌合された際には、図７に示されているように、運搬用容器Ｂｈ、ＢｍのポケットＰが形成されている部分のフランジ４と、連結具Ｃ１の基部ブロック部材Ｃ１を形成する下部中央水平板ｃ１ｄとの間に、作業者の指が挿入可能な指挿入空間部Ａ２が形成されている。このような指挿入空間部Ａ２が形成されているので、指挿入空間部Ａ２に手の指を挿入し、連結具Ｃ１の基部ブロック部材Ｃ１’を把持することにより、連結具Ｃ１を介して連結された一対の運搬用容器Ｂｈ、Ｂｍの運搬を、容易に行うことができる。
【００３３】
更に、ネスティング或いはスタッキングが可能な運搬用容器Ｂに形成されているポケットＰの奥壁ｐ１に穿設された係止透孔Ｈに、連結具Ｃ１の挟持部材Ｃ１”を構成する挟持弾性片ｃ２ａに突設された係止突部ｃ２ｂを嵌合することにより、運搬用容器Ｂを連結するように構成したので、台車やパレット等に積載されている運搬用容器Ｂが、台車やパレット等の上下動により、縦方向に振動しても、連結具Ｃ１が、運搬用容器Ｂから外れるようなことがない。
【００３４】
更にまた、連結具Ｃ１を介して連結され並置された一対の運搬用容器Ｂに、同じく、連結具Ｃ１を介して連結され並置されたもう一対の運搬用容器Ｂを段積みした際には、下に位置するもう一対の運搬用容器Ｂのフランジ４から上方に位置する連結具Ｃ１の基部ブロック部材Ｃ１’は、上に位置する一対の運搬用容器Ｂの長側壁２間、或いは、長側壁２に形成された一対の支脚Ｓ間に位置する空間部Ａ３に位置するように構成されているので、連結具Ｃ１が、連結具Ｃ１を介して連結され並設された一対の運搬用容器Ｂの段積みの障害になるようなことはない。
【００３５】
更に、連結具Ｃ１を介して連結され並置された一対の運搬用容器Ｂに、同じく、連結具Ｃ１を介して連結され並置されたもう一対の運搬用容器Ｂを段積みした際には、上述したように、上に位置する運搬用容器Ｂの下端部が、下に位置する運搬用容器Ｂｂの開口部に挿入されるように構成されているので、台車やパレット等に段積みされた運搬用容器Ｂが、上述した連結具Ｃ１と相まって、崩れるようなことがない。
【００３６】
なお、上述した実施例においては、運搬用容器Ｂの長側壁２に一対のポケットＰが形成されており、これに対応して、連結具Ｃ１の基部ブロック部材Ｃ１’に、一対の挟持部材Ｃ１”を形成した例が示されているが、運搬用容器Ｂの長側壁２に、３個以上のポケットＰを形成し、これに対応して、連結具Ｃ１の基部ブロック部材Ｃ１’に、３個以上の挟持部材Ｃ１”を形成することもできる。
【００３７】
次に、図９〜図１１を用いて、別の実施例の連結具Ｃ２について説明する。
【００３８】
ｃ１０は、上述した実施例の一対の相対する挟持弾性片ｃ２ａと同様の一対の相対する挟持弾性片であり、挟持弾性片ｃ１０の下端には、互いに離反する方向に、上述した実施例の案内板部ｃ２ｃと同様の案内板部ｃ１１が形成されており、また、相対する挟持弾性片ｃ１０の相対する内面ｃ１０ａには、上述した実施例の係止突部ｃ２ｂと同様の係止突部ｃ１２が突設されている。
【００３９】
連結具Ｃ２を構成する一対の相対する挟持弾性片ｃ１０の上端は、水平連結板ｃ１３により連結されており、連結具Ｃ２は、一対の相対する挟持弾性片ｃ１０と水平連結板ｃ１３とにより、全体として、逆Ｕ字状に形成されている。なお、本実施例においても、挟持弾性片ｃ１０と案内板部ｃ１１とにより形成される角部には、上述した実施例の案内面ｃ２ｄと同様の傾斜面やアール面等からなる、案内面ｃ１４が形成されている。
【００４０】
図１０に示されているように、左側に位置する運搬用容器Ｂｈの長側壁２の両端部に形成されたポケットＰと右側に位置する運搬用容器Ｂｍの長側壁２の両端部に形成されたポケットＰとが、互いに対向するように、左側に位置する運搬用容器Ｂｈと右側に位置する運搬用容器Ｂｍとを並置するとともに、上方に、連結具Ｃ２を配置し、その後、連結具Ｃ２を下降させる。連結具Ｃ２の下降により、一方の運搬用容器ＢｈのポケットＰが位置するフランジ４の残余部分４ａと、もう一方の運搬用容器ＢｍのポケットＰが位置するフランジ４の残余部分４ａとを、連結具Ｃ２の相対する挟持弾性片ｃ１０と水平連結板ｃ１３とにより形成される挟持空間部Ａ４内に挿入する。
【００４１】
上述した連結具Ｃ２の下降過程において、連結具Ｃ２の水平連結板ｃ１３が、互いに、当接、或いは、接近して並置された運搬用容器Ｂｈ、Ｂｍのフランジ４の残余部分４ａに接近することになる。更に、連結具Ｃ２を下降させ、連結具Ｃ２の水平連結板ｃ１３が、運搬用容器Ｂｈ、Ｂｍのフランジ４の残余部分４ａに近接、或いは、当接した時点において、連結具Ｃ２の挟持弾性片ｃ１０に突設された係止突部ｃ１２が、運搬用容器Ｂｈ、Ｂｍに形成されたポケットＰの奥壁ｐ１に穿設された係止透孔Ｈに嵌合されるように構成されている。このようにして、図１０に示されているように、並設された運搬用容器Ｂｈ、Ｂｍが、連結具Ｃ２により連結されることになる。
【００４２】
その他の作用や効果は、上述した実施例と同じであるので、その詳細な説明は省略する。
【符号の説明】
【００４３】
Ｂ・・・・・・・・・・・・・・・連結具装着可能運搬用容器
Ｃ１、Ｃ２・・・・・・・・・・・連結具
ｃ２ａ、ｃ１０・・・・・・・・・挟持弾性片
ｃ２ｂ、ｃ１２・・・・・・・・・係止突部
Ｈ・・・・・・・・・・・・・・・係止透孔
Ｐ・・・・・・・・・・・・・・・ポケット
Ｓ・・・・・・・・・・・・・・・支脚
１・・・・・・・・・・・・・・・底部
２・・・・・・・・・・・・・・・長側壁
３・・・・・・・・・・・・・・・短側壁
４・・・・・・・・・・・・・・・フランジ
【図１】
2011207517.tif 000003
【図２】
2011207517.tif 000004
【図３】
2011207517.tif 000005
【図４】
2011207517.tif 000006
【図５】
2011207517.tif 000007
【図６】
2011207517.tif 000008
【図７】
2011207517.tif 000009
【図８】
2011207517.tif 000010
【図９】
2011207517.tif 000011
【図１０】
2011207517.tif 000012
【図１１】
2011207517.tif 000013